(57)【要約】  密閉構造及び外部との遮断を図ることにより安全性、快適性及び経済性を向上させた建築物を提供する。  基礎３と、基礎３の周囲に当該基礎３と一体となるようにして立設された塀８と、基礎３の中央に配置された室内空間となる家屋部２と、塀８に囲まれた内部空間を覆う屋根３０であって塀８に支持されると共に家屋部２とは構造上結合されていない屋根３０と、地震の際に家屋部２の振動を抑制する免震機構４０とを備え、基礎３と、塀８と、屋根３０とによって内部を密閉空間とすることを可能としたことを特徴とする。
2013001662.tif 000002
【特許請求の範囲】
【請求項１】
基礎と、
前記基礎の周囲に当該基礎と一体となるようにして立設された塀と、
前記基礎の上に配置された室内空間となる家屋部と、
前記塀に囲まれた内部空間を覆う屋根であって、前記塀に支持されて前記家屋部とは構造上結合されていない屋根と、
地震の際に前記家屋部の振動を抑制する免震機構と、
を備え、
前記基礎と、前記塀と、前記屋根とによって内部を密閉空間としたことを特徴とする建築物。
【請求項２】
請求項１に記載の建築物において、
前記家屋部は前記基礎によって支持されており、
前記免震機構は、前記家屋部を支持する前記基礎と当該家屋部との間に設けられていることを特徴とする建築物。
【請求項３】
請求項１に記載の建築物において、
前記家屋部は、前記屋根に吊下げ支持されており、
前記免震機構は、前記家屋部を吊下げ支持する前記屋根と当該家屋部との間に設けられていることを特徴とする建築物。
【請求項４】
請求項１から３のいずれか１項に記載の建築物において、
前記塀の上部を前記屋根よりも高く位置するように形成したことを特徴とする建築物。
【請求項５】
請求項１から４のいずれか１項に記載の建築物において、
前記家屋部の周囲に設けられた池と、
前記塀と前記池との間に階段状に設けられ、上部が植栽スペースとして利用されると共に内部に空間が形成されて設備スペースとして利用可能な植栽部を備えていることを特徴とする建築物。
【請求項６】
請求項１から５のいずれか１項に記載の建築物において、
前記塀は、断熱性を備えた防水コンクリートにより形成したことを特徴とする建築物。
【請求項７】
請求項１から６のいずれか１項に記載の建築物において、
前記屋根は、表面の一部にソーラーパネルが取り付けられると共に、その他のスペースには防音、且つ、採光用のペアガラスを配置したことを特徴とする建築物。
【請求項８】
請求項１から７のいずれか１項に記載の建築物において、
前記家屋部外の空気を浄化して当該家屋部内に送り込むと共に当該家屋部内の空気を排気する給排気空調機をさらに備えていること特徴とする建築物。
【請求項９】
請求項１から８のいずれか１項に記載の建築物において、
前記家屋部内の室内空間を正方形としたことを特徴とする建築物。
【請求項１０】
請求項１から９のいずれか１項に記載の建築物において、
前記池の水を前記植栽スペース及び／又は前記屋根へ移送して散水可能とされると共に、前記屋根への散水によって当該屋根に積もった雪を融雪した水を前記池へ貯留する融雪水回収手段をさらに備えていることを特徴とする建築物。
【請求項１１】
請求項１から１０のいずれか１項に記載の建築物において、
前記池の水を高所に移送して落下させる手段を備え、水を落下させることによって発生する微細な水滴が気化する気化熱によって建築物内部を冷却すると共に、
前記基礎の底面側に地熱を利用するための熱交換手段を備え、前記地熱によって建築物内部を加温する、
ことを特徴とする建築物。
【請求項１２】
請求項１から１１のいずれか１項に記載の建築物において、
前記基礎と、前記塀と、前記屋根と、を鉛及びコンクリートによって遮蔽することにより、核シェルタとして利用可能としたことを特徴とする建築物。
【発明の詳細な説明】
【技術分野】
【０００１】
本発明は、安全性、快適性及び経済性を向上させた住宅や店舗、興行場、倉庫、その他これらに類する施設などの建築物に関し、さらに詳しくは、内部空間を密閉構造とし、地震等の災害時における各種影響が内部空間に及ばないようにすると共に、電気などのエネルギの削減が可能な建築物に関する。
【背景技術】
【０００２】
一般に建築物、例えば住宅は、柱、壁及び屋根を主体に構成され、柱は基礎コンクリートを介して地上に立設される。柱を用いる建築物では、階層数に応じてその太さ及び階層数等が建築基準法によって定められている。また、階層数が増えるにつれて柱の占める割合が増え、利用効率が減ることになる。さらに、地上に建てられた建築物は周囲が外気にさらされているため、建築物から膨大なエネルギが無駄に放出され、温暖化を促進させることになる。【０００３】
そこで、本願出願人は地上から林立した一群の柱を無くすことができると共に、冷暖房効果を改善した地下構造物を発明し、特許出願を行った(特許文献１)。この地下構造物は、すり鉢状の空間を地下に形成する周壁部、すり鉢状の空間の周囲に同一平面高さとなるように設けられた複数の支持部材、端部を複数の支持手段に支えられた梁、少なくとも周壁部から所定の間隔を隔てて中央部に配置された階層部を有する階層構造体、及び周壁部に沿ってその上端部が地上に通じるように上下方向に設けられると共にその下方部が階層構造体の階層部に通じるように設けられた階段を含む構成になっている。これにより、複数の支持部材によって各階層構造体は各層独立して支えられ、また、各階層への出入りを容易にし、安全性の向上、省エネルギ化及び建築コストの低減を図ることができる。【０００４】
また、本願出願人は、上記特許文献１と同様の構造において、階層構造体の最上の階層部の上部空間部に着脱可能にカバー部材を設けた地下構造物を発明し特許出願を行った（特許文献２）。この構造によれば、すり鉢状の地下空間と外気とを遮断できることで地下空間を例えば核シェルタとして用いることができる。
【先行技術文献】
【特許文献】
【０００５】
【特許文献１】特開平６−３４６４７６号公報
【特許文献２】特開平６−３４６４７８号公報
【発明の概要】
【発明が解決しようとする課題】
【０００６】
しかしながら、上述した各特許文献に示される地下構造物は柱を不要とし、且つ、省エネルギ化を図ることが可能であるが、２０１１年３月１１日に発生した東日本大震災が当初の想定を大幅に越えるものであったことに鑑み、地震、津波、火災、台風、竜巻等の災害発生の際の生活維持に対する配慮はこれまで以上に行う必要がある。そして、そのような災害発生時には外部からの汚染物質の侵入防止、騒音防止、冷暖房の更なる省エネルギ化等について十分配慮して生活環境を守ると共に災害発生時にも日常生活や日常業務を継続することができるような備えが必要である。【０００７】
そこで、本発明は、かかる問題点に鑑みなされたもので、住宅や店舗、興行場、倉庫その他これらに類する施設などの建築物を密閉構造にして外部との遮断を図ることによって安全性、快適性及び経済性を向上させた建築物を提供することを目的とする。【０００８】
また、平常時にも快適な居住空間と省エネに配慮した内部空間を提供し、建築物の内部の気温を冬期から夏期迄安定させることかでき、建築の内部の環境を守り、都市部の騒音の中でも安眠・熟睡することができる建築物を提供することを目的とする。
また、地震、津波、火災、台風、竜巻等の各種の災害の際にも対応可能な建築物を提供することを目的とする。
【課題を解決するための手段】
【０００９】
上記課題を解決するために請求項１に記載の発明は、基礎と、基礎の周囲に基礎と一体となるようにして立設された塀と、基礎の上に配置された室内空間となる家屋部と、塀に囲まれた内部空間を覆う屋根であって、塀に支持されて家屋部とは構造上結合されていない屋根と、地震の際に家屋部の振動を抑制する免震機構とを備え、基礎と、塀と、屋根とによって内部を密閉空間としたことを特徴とする建築物を提供する。【００１０】
上記課題を解決するために請求項２に記載の発明は、請求項１に記載の建築物において、家屋部は基礎によって支持されており、免震機構は、家屋部を支持する基礎と家屋部との間に設けられていることを特徴とする。【００１１】
上記課題を解決するために請求項３に記載の発明は、請求項１に記載の建築物において、家屋部は、屋根に吊下げ支持されており、免震機構は、家屋部を吊下げ支持する屋根と家屋部との間に設けられていることを特徴とする。【００１２】
上記課題を解決するために請求項４に記載の発明は、請求項１から３のいずれか１項に記載の建築物において、塀の上部を屋根よりも高く位置するように形成したことを特徴とする。【００１３】
上記課題を解決するために請求項５に記載の発明は、請求項１から４のいずれか１項に記載の建築物において、家屋部の周囲に設けられた池と、塀と池との間に階段状に設けられ、上部が植栽スペースとして利用されると共に内部に空間が形成されて設備スペースとして利用可能な植栽部を備えていることを特徴とする。【００１４】
上記課題を解決するために請求項６に記載の発明は、請求項１から５のいずれか１項に記載の建築物において、塀は、断熱性を備えた防水コンクリートにより形成したことを特徴とする。【００１５】
上記課題を解決するために請求項７に記載の発明は、請求項１から６のいずれか１項に記載の建築物において、屋根は、表面の一部にソーラーパネルが取り付けられると共に、その他のスペースには防音、且つ、採光用のペアガラスを配置したことを特徴とする。【００１６】
上記課題を解決するために請求項８に記載の発明は、請求項１から７のいずれか１項に記載の建築物において、家屋部外の空気を浄化して家屋部内に送り込むと共に家屋部内の空気を排気する給排気空調機をさらに備えていること特徴とする。【００１７】
上記課題を解決するために請求項９に記載の発明は、請求項１から８のいずれか１項に記載の建築物において、家屋部内の室内空間を正方形としたことを特徴とする。【００１８】
上記課題を解決するために請求項１０に記載の発明は、請求項１から９のいずれか１項に記載の建築物において、池の水を植栽スペース及び／又は屋根へ移送して散水可能とされると共に、屋根への散水によって屋根に積もった雪を融雪した水を池へ貯留する融雪水回収手段をさらに備えていることを特徴とする。【００１９】
上記課題を解決するために請求項１１に記載の発明は、請求項１から１０のいずれか１項に記載の建築物において、池の水を高所に移送して落下させる手段を備え、水を落下させることによって発生する微細な水滴が気化する気化熱によって建築物内部を冷却すると共に、基礎の底面側に地熱を利用するための熱交換手段を備え、地熱によって建築物内部を加温することを特徴とする。【００２０】
上記課題を解決するために請求項１２に記載の発明は、請求項１から１１のいずれか１項に記載の建築物において、基礎と、塀と、屋根と、を鉛及びコンクリートによって遮蔽することにより、核シェルタとして利用可能としたことを特徴とする。
【発明の効果】
【００２１】
本発明に係る建築物によれば、建築物を密閉構造とすることで外部との遮断を図ることができ、また家屋部を免震機構によって地震の振動を抑制することで災害時にも安心で安全な建築物を提供できるという効果がある。【００２２】
また、屋根よりも塀を高くしたので家屋部が横風を受けることがないという効果がある。
また、内部に植栽部を設けたので、建築物内で農作物を栽培することができ災害時にも自家消費することで食料を確保できるという効果がある。
また、全体を密閉することができると共に塀を断熱性を備えた防水コンクリートで形成したので洪水や津波などの水害にも浸水等の被害を防止することができ、周囲の火災に対しても延焼するのを防止できるという効果がある。
また、屋根の一部にソーラーパネルを配置したので必要な電力を確保することができると共に他の部分には採光用のペアガラスを設けたので建築物の内部の採光を確保すると共に外部の騒音を軽減することができるという効果がある。【００２３】
また、給排気空調機を設けることで密閉した建築物内でも必要な空気を確保することができるという効果がある。
また、家屋の住居スペースを正方形としたので、住人はそれぞれの部屋の間を最短距離で移動することができるという効果がある。
また、池の水を散水に利用ことにより建築物内部の温度調整、農作物の栽培、融雪等に利用することができ、さらには池で魚等を飼育することもできるという効果がある。
また、地熱を利用して建築物内の温度調整を行うことができるという効果がある。
また、基礎、塀及び屋根が放射線を遮蔽するようにしたので核シェルタとして利用できるという効果がある。
【図面の簡単な説明】
【００２４】
【図１】本発明に係る建築物の屋根を取り除いた状態の実施形態を示す平面図である。
【図２】図１の実施形態に係る建築物のＡ−Ａ断面図である。
【図３】本発明に係る建築物の屋根分の平面図である。
【図４】免震機構の構成を示す断面図である。
【図５】散水機構の構成を示す系統図である。
【図６】冷暖房システムの構成を示す系統図である。
【図７】屋根の免震構造を示す部分拡大断面図である。
【図８】他の実施形態の平面図である。
【発明を実施するための形態】
【００２５】
［建築物の構成］
以下、本発明に係る建築物について、好ましい一実施形態に基づいて詳細に説明する。図１は本発明に係る建築物の一実施形態を示す平面図、図２はその断面図、そして図３は屋根の平面図である。尚、図１では屋根を取り払った状態を示している。
建築物１は、公道等の通路（歩道）１００に面して建設され、そして、通路１００につながる私有道路としての通路１０１を介して出入りができるようになっている。
【００２６】
建築物１は、概略として、方形状の基礎３と、基礎３の周囲を取り囲むようにして基礎３と一体に立設された塀８を備えており、基礎３と塀８が一体となった１つの容器のようになっている。そして、基礎３の略中央には室内空間となる家屋部２が配置されている。一方、基礎２と塀８によって形成される空間を覆うようにして屋根３０が取り付けられている。屋根３０は、その周縁部が塀８によって支持されており、家屋部２とは構造上の結合はなされていない。これにより、基礎３、塀８、屋根３０によって建築物１の内部を水密性のある或いは気密のある密閉空間とすることが可能となっている。また、塀８は屋根３０よりも高く形成されている。塀８を屋根３０よりも高く形成することで後述する家屋部２に吹き付ける横風を効果的に阻止することができる。そして、基礎３及び壁８は鉄筋コンクリート、家屋２は鉄骨或いは鉄筋コンクリート、屋根３０は鉄骨で骨組みを形成してさらに鉄板や鋼板等の金属製材料によって覆うことによってそれぞれ形成され、建築物１の内部空間が密閉可能とされている。尚、構造については強固な構造であれば鉄骨、鉄筋コンクリート或いはその適宜の組み合わせを採用することができる。また、使用するコンクリートは、例えば、撥水材や合成樹脂で防水層を形成する等によって防水性を高めることができる。また、壁８は断熱材を配置するか、コンクリートの間に断熱材を挟んだ二重構造として断熱性を持たせることができる。さらに、鉛板を併設することで放射線の侵入を防止する構造とすることもできる。
【００２７】
そして、建築物１は、地震の際に家屋部２の振動を抑制する免震機構４０を備えている。本実施形態の建築物１の免震機構４０は、基礎３と家屋部２とが接続される部分に設置されている。免震機構４０は免震、制振及び断振の少なくともいずれかの機能を備えており、その具体的な構成としては、例えば、エアーダンパ方式、積層ゴムによるアイソレータ方式、ボールやローラを用いた方式等があり、幾つかのメーカーから提供されている。例えば図４に示す免震機構４０はアイソレータ方式に分類される構造であり、概略として、共に円板形状をした下側フランジ４９ａと上側フランジ４９ｂとの間に筒形の天然ゴム系の積層ゴムアイソレータ４１を介挿した構成になっている。そして、この免震機構４０は家屋部２の基礎３と家屋部２の土台部４６との間に設置されている。免震機構４０は家屋部２の周囲の４箇所のコーナ部及び必要な箇所に設置される。大きな地震が来たとき、その震度に応じて積層ゴムアイソレータ４１が撓み、これによって地震の揺れが家屋部２に伝達しにくくなることで免震が達成される。このような免震機構４０を設けることで、強い地震等があってもそれによる振動が免震機構４０によって抑制され、家屋部２に対する影響を著しく軽減することができる。
【００２８】
また、図７に示すように、屋根３０と塀８との間、具体的には、屋根３０を構成する梁３０ａと塀８の上部側面との間には弾性部材、例えば、バネ３０ｂが配置されていると共に、塀８の上端面の凹部内には梁３０ａの底面を移動可能に支持するコロ３０ｃが配設されている。これにより、地震の震動によって屋根３０と塀８との間の接続部に加わる負荷を軽減することができる。
【００２９】
免震機構の他の実施形態としては、家屋部２を基礎３ではなく、屋根３０に吊下げ支持する構造とし、家屋部２を基礎３とは切り離した状態としておき、屋根３０と家屋部２とが接続される部分に設置する構造とすることもできる。この場合、あたかも基礎３、塀８及び屋根３０が一体となった密閉容器内に家屋部２が吊下げられた状態となっているので地震の振動が家屋部２に伝わるのが阻止される。尚、家屋部２と基礎３との間には何も介在させないのではなく、地震以外の通常の場合において家屋部２が揺れ動くことがないように適当な固定具で揺れ止めをしておくことが好ましい。もちろん、この揺れ止めは構造上のものではなく地震の場合には屋根３０と家屋部２との間に設置した免震機構が機能するので大きな地震の振動に耐えられるものでなくてもよい。
【００３０】
家屋部２は、概略として、複数の部屋１０（例えば、リビング１０ａ、ダイニング１０ｂ、寝室１０ｃ、書斎１０ｄ、キッチン１０ｅ等）と、複数の生活スペース２０（玄関２０ａ、風呂場２０ｂ、トイレ２０ｃ、クローゼット２０ｄ、書庫２０ｅ、テラス２０ｆ、廊下２０ｇ等）を備えて構成されている。また、家屋部２の周囲を取り囲むようにして池４が設けられている。
【００３１】
家屋部２は平面形状が正方形とされ、これによって住人は各部屋の間を最短距離で移動することができる。また、トイレ２０ｃや所定の部屋１０に監視カメラを設置することにより、介護が必要な人や病人に対するケアが可能になる。また、部屋１０及び生活スペース２０のうち、必要な場所に図示しない所要数のスプリンクラーが設けられており、その水源として水道や後述する池４の水を用いることができる。家屋部２は外壁が断熱性を有する防水コンクリートとされると共にその要所には柱２１が設けられている。家屋部２の外壁を断熱性を有する防水コンクリートとすることでさらに火災や水害に強い建築物１とすることができる。また、家屋部２の下には基礎３を利用した密室、且つ、防水構造のストックエリア３が設けられている。尚、本実施形態の家屋部２は平屋であるが、もちろんこれに限らず２階建てやそれ以上であってもよい。
【００３２】
屋根３０は、図２に示すように、家屋部２を構成する駆体の上部に配設した状態で塀８によって支持されており、家屋部２の躯体とは構造上の連結はされておらず、屋根３０と家屋部２の躯体との間には狭い空間９Ａが形成されている。また、屋根３０の中央部には、図３に示すように、ソーラーパネル３１が家屋部２の外壁と重なる範囲に設置され、その周囲（空間９Ｂに重なる範囲）には強化ペアガラス張りのトップライト３２となっている。さらに、屋根３０の縁部が位置する塀８の上部には雨水を案内するように樋状に形成され、そこに貯まった雨水を池４に案内する雨水収集管８１が複数箇所に設けられており、屋根３０上に降った雨を池４に貯えることで雨水の有効利用を図っている。ソーラーパネル３１によって得られた電力は自家の照明や冷暖房等に用い或いは電力会社等に売電することができる。尚、ソーラーパネル３１に代えて或いはソーラーパネル３１に併用して太陽熱による温水設備を設けてもよい。
【００３３】
また、強化ペアガラスは、例えば、積雪荷重４ｍに耐え得る規格のものを用いている。具体的には、外側ガラスが倍強度ガラス板厚１２ミリで、内側ガラスが板厚６．６ミリの網入りガラスの合わせガラスである。これにより建築物１内が外気から遮断状態にされ、建築物１内の温度を安定に保つことが可能になると共に、外部からの騒音が遮断され、また、近隣に火災が発生しても家屋部２に及ぶことを防止する。そして、建築物１内の空間９Ｂが外気と連通する箇所、具体的には、図２に示すように、塀８と屋根３０との近傍の１箇所又は数箇所に特殊フィルタ１１及びファン１２によって構成される給排気空調設備１３が設けられており、建築物１の空間９Ａ，９Ｂ内に入り込む空気の浄化が行われる。尚、給排気空調設備１３は更に給気ファン及び排気ファンまたは一体型の給排気ファンを備える（必要に応じてフィルタ等も備える）ことによって、建築物１の内部の空気と外部の空気との交換を行うこともできる。また、特殊フィルタ１１は、空気中の塵等を除去する他、細菌、有害物質、放射性物質等が建築物１内に進入することを防止する。
【００３４】
また、屋根３０の周辺部をトップライト３２にしたことにより建築物１の空間９Ｂ内に外光が入るので池４や植栽スペース５１の植物７に対する日光不足を解消することができ、また、断熱効果が得られる。そして、夏期の暑い日には池４の水を汲み上げて屋根３０から落下させたり、屋根３０の表面に散布してその際に発生する微細な水滴が蒸発する際の気化熱によって空間９Ａ，９Ｂ内及び家屋部２内の気温を下げることができる構造となっている。その具体例について図５を参照して説明する。
【００３５】
図５は散水機構２００の構成を示す系統図である。屋根３０の“むな木”の上方には複数のノズル３６、３６が所定間隔に設けられているヘッダ３５が平行に設けられ、その一端には給水配管３７が接続されている。給水配管３７はバルブ３８を介してポンプ３４の出側に接続されている。ポンプ３４の入り側には池４の水Ｗ内に延びる配管３９が接続されている。また、給水配管３７には、途中にバルブ４１が設けられた配管４２が接続されている。この配管４２の終端には植物７に水を散布するための複数のノズルＮＺが所定間隔に設けられた散水管４３が接続されており、ポンプ３４からの加圧水によって散水４４が行われるようになっている。ポンプ３４及びバルブ３８，４１は屋内のリビング１０ａ等に設置されたコントローラ４５によって制御される。このコントローラ４５はプログラムに従って動作するＣＰＵを備え、後述する冷暖房の制御も併せて実行する。
【００３６】
コントローラ４５の操作によって屋根３０を冷却する指示が出されると、ポンプ３４が稼働するとともにバルブ３８が開けられ、池４の水がポンプ３４及び配管３９，３７及びバルブ３８を通して屋根３０上のヘッダ３５に供給され、ノズル３６から屋根の表面に散水される。この散水によって発生する微細な水滴が蒸発する際の気化熱によって空間９Ａ，９Ｂ内の気温が下がる。例えば、外気温が３５℃の場合でも空間９Ａ，９Ｂ内の温度を２６℃以下にすることができる。屋根３０を伝って落ちた水は、その殆どを雨水収集管８１によって池４へ回収できるので、池の水の再利用が可能になる。
【００３７】
また、植物７に水をやる必要が生じてコントローラ４５が操作され或いはコントローラ４５に予め設定したタイマが作動したとき、ポンプ３４が稼働するとともにバルブ４１が開けられ、池４の水が配管４２及びバルブ４１を介して散水管４３に水が供給され、植物７に水が散布される。これによって植物７が枯れるのを防止することができる。
【００３８】
さらに、冬期の積雪に対して上記したように散水機構２００を稼働させると、屋根３０に積もった雪を溶かすことができ、これによって屋根３０の負担を軽減できるとともに池４の水を容易に補充することができる。
【００３９】
また、ストックエリア３ａの底面であって土と接する側の面には熱交換によって地熱から熱を吸収するために地熱温水管３３が敷設され、この地熱温水管３３内の温度が１５℃程度の水を用いて家屋部２の冷暖房が行えるようになっている。この冷暖房システムの構成について図６を参照して説明する。
【００４０】
図６は冷暖房システム３００の系統図である。池４の下部に設置され、熱交換機として機能する地熱温水管３３は家屋部２の敷地面積程度の領域の浅い深さの地中に蛇行設置されている。この地熱温水管３３には配管３３０を通して地上に設置された室外機であるヒートポンプ６０が接続されている。ヒートポンプ６０は図示しない熱交換器及び膨張弁、圧縮機等を備えて構成されている。ヒートポンプ６０には配管４７、バルブ７３を通して室内機７０が接続されている。室内機７０は室温を利用者が調節できるようにリモートコントローラ７１を有している。また、配管４７にはバルブ７４を介して配管４８が連結されており、この配管４８にはリビング１０ａ等の床に設置された床暖房パネル７２が接続され、床冷暖房が行えるようになっている。そして、ヒートポンプ６０、室内機７０及びバルブ７３，７４は上記したコントローラ４５によって制御される。
【００４１】
図６の構成において、まず、冷房を行う場合、地熱温水管３３内の水はヒートポンプ６０内の熱交換器を循環して熱交換が行われることでヒートポンプ６０内の媒体は例えば７℃に冷却され、その媒体が配管４７，４８を通して循環し、室内機７０からは予め設定した冷たい空気が図示しないファンの回転によって室内へ放出され、同時に、床暖房パネル７２へも配管４８を介して冷やされた冷媒が供給され、床暖房パネル７２を敷設した床が所望の温度に冷却される。尚、コントローラ４５を設定することによって室内機７０又は床暖房パネル７２の一方を稼働させることができ、この選択に応じてバルブ７３及びバルブ７４がコントローラ４５によってオン／オフ制御される。
【００４２】
次に、暖房を行う場合について説明する。地熱温水管３３内の水はヒートポンプ６０内に供給されて熱交換が行われ、熱変換による温水が地熱温水管３３に戻される。ヒートポンプ６０の熱交換器６２によって温められた配管４７内の媒体は室内機７０に供給され、室内機７０の図示しない熱交換器から室内へ暖気が放出される。同様に床暖房パネル７２へも配管４８を通して温められた媒体が供給され、床暖房が行われる。このように、冬期には外気温が０℃程度のときでも地熱を利用して空間９Ａ，９Ｂ内の温度を１８℃程度にすることができる。
【００４３】
尚、本実施形態では地熱温水管３３を同一平面に蛇行配置する構成を示したが、これに代え、金属管をＵ字形に折り曲げた長さ数ｍ２〜数十ｍの管体を地中に縦に埋め込む構成であってもよい。更に、温度調整幅等に制約を生じるが、ヒートポンプ６０を用いない構成も可能である。この場合、地熱温水管３３の水Ｗによって熱交換を行った後の空気を室内に導き、室内の空気を天井等に設けた排気口から上記熱交換器に戻して循環させる構成が用いられる。
【００４４】
池４は水を必要な水位を保つように貯留している。池４では観賞用又は食用の魚を飼育したり水性植物を栽培したりすることができる。また、池４の水は、図５に示したように、建築物１内部の温度調整及び散水に用いられるほか、融雪、災害時における消火や飲料水等にも利用される。一方、池４と塀８との間には階段状の植栽部５０が設けられている。植栽部５０は、上部が植栽スペース５１として利用されると共に内部に形成された空間は設備スペース５として利用することができるようになっている。そして、植栽部５０は、塀８の内側周囲を一周するように設けられている。従って、コンクリート造りの設備スペース５はトンネル状に且つ塀８をほぼ一周するように設けられている。設備スペース５は、池４の水が内部に侵入しないように且つ散水時の水等が内部に侵入しないように作られており、その内部には各種の設備の設置や食料等の備蓄が可能になっている。また、設備スペース５の上面は池４の水面よりも高い位置になるように作られ、外側に向かって段々畑のように段階的に高くなって植栽スペース５１が形成されている。植栽スペース５１には土が盛られ、この盛土に底木、花、野菜等の植物７が植栽されている。尚、植栽に限らず彫刻等の美術品や工芸品、置き石等を設置して美観や景色を楽しむようにしてもよい。
【００４５】
図１に示したように、植栽スペース５１の上方は屋根３０によって覆われているので、雨は植物７に降り注がない。そこで、図５で説明したように池４の水をポンプ３４によって汲み上げて散水管４３に導き、植物７に噴霧（給水）できるようにしている。さらに、池４の水は水道が災害や多彩等の発生に伴って断水した際、池４の水を浄化・殺菌設備によって浄化・殺菌処理することで、この処理した水を水道水の代わりに用いることができる。そのため、池４は少なくとも１カ月程度利用しうるだけの水を貯留可能な容積を有することが望ましい。また、池４の上面の全部又は一部を板状部材等によって覆うことにより家屋部２の周囲を一周するような通路６を設けることができる。通路６はウォーキングの周回コースに利用したり、植物７を観賞するためのスペース等として利用することができる。
【００４６】
また、建築物１は、災害時における簡易型のシェルタとして利用することもできる。例えば、基礎３、塀８及び屋根３０に放射能を遮断する効果のある鉛板や特殊鉛鋼板等を併設することで核シェルタとして利用可能であり、酸素発生器を設置することで外部との空気の交換を遮断して内部を完全密閉することでウィルス等の進入を阻止することもできる。さらに、建築物１が水没するような津波が襲ってきた場合に、建築物１は、基礎３、塀８及び屋根３０によって水密に密閉されていると共に池４に貯えられた水がバラストストとなるので姿勢良く水に浮かせて水没を回避することもできる。
【００４７】
建築物１は上述した方形状のものに限らず、種々の外径形状を採用することは可能である。例えば、図８に示すものは建築物１の外径形状を円形状にしたものである。尚、上述した方形状の建築物１と同じ部材について同じ符号を付すことによりその具体的な説明は省略する。また、図示はしないが、三角形や、五角形、六角形等の多角形にすることはもちろん可能である。
【００４８】
［実施形態の効果］
本実施形態に係る建築物によれば、家屋部２を基礎３、塀８及び屋根３０によって密閉可能としたので外気との遮断を図ることができ、また、家屋部を免震機構によって地震の振動を抑制することで災害時にも安心で安全な建築物を提供できるという効果がある。
また、屋根よりも塀を高くしたので家屋部が横風を受けることがない。
また、内部に植栽部を設けたので、建築物内で農作物を栽培することができ災害時にも自家消費することで食料を確保できる。
また、建築物全体を密閉することができると共に塀を断熱性を備えた防水コンクリートで形成したので洪水や津波などの水害にも浸水等の被害を防止することができ、周囲の火災に対しても延焼するのを防止できる。
また、屋根の一部にソーラーパネルを配置したので必要な電力を確保することができると共に他の部分には採光用のペアガラスを設けたので建築物内部の採光を確保しつつ外部の騒音を軽減することができる。本発明者らの検討によれば、以上の各対策によって建築物の冷暖房費が例えば７５％に下げることができた。
【００４９】
また、給排気空調機を設けたので密閉した建築物内でも必要な空気を確保することができる。
また、家屋の住居スペースを正方形としたので、住人はそれぞれの部屋の間を最短距離で移動することができる。
また、池の水を散水に利用することにより建築物内部の温度調整、農作物の栽培、融雪等に利用することができ、さらには池で魚を飼育し水生植物等を栽培することもできるので自治体等の支援に頼ることなく自力で生活を続行することができる。
また、地熱を利用して建築物内の温度調整を行うことができる。
また、地熱を冬期における暖房等に利用することによって冷暖房費を低減することができる。
【００５０】
以上のように、本発明の好ましい実施形態について詳述したが、本発明は係る特定の実施形態に限定されるものではなく、特許請求の範囲に記載された本発明の要旨の範囲内において、種々の変形・変更が可能であることはいうまでもない。
【００５１】
具体的には、本発明に係る建築物は、住宅以外の施設、例えば、オフィス、療養施設、病院、公共施設等の用途にも適用可能である。
【符号の説明】
【００５２】
１      建築物
２      家屋部
３      基礎
３ａ    ストックエリア
４      池
５      設備スペース
６      通路
７      植物
８      塀
９Ａ    空間
９Ｂ    空間
１０    部屋
１０ａ  リビング
１０ｂ  ダイニング
１０ｃ  寝室
１０ｄ  書斎
１０ｅ  キッチン
１１    特殊フィルタ
１２    ファン
１３    給排気空調設備
２０    生活スペース
２０ａ  玄関
２０ｂ  風呂場
２０ｃ  トイレ
２０ｄ  クローゼット
２０ｅ  書庫
２０ｆ  テラス
２０ｇ  廊下
２１    柱
３０    屋根
３０ａ    梁
３０ｂ    バネ
３０ｃ    コロ
３１    ソーラーパネル
３２    トップライト
３３    地熱温水管
３４    ポンプ
３５    ヘッダ
３６    ノズル
３７    給水配管
３８    バルブ
３９    配管
４０    免震機構
４１    バルブ
４１    積層ゴムアイソレータ
４２    配管
４３    散水管
４４    散水
４５    コントローラ
４６    土台部
４７    配管
４８    配管
４９ａ    下側フランジ
４９ｂ    上側フランジ
５０    植栽部
５１    植栽スペース
６０    ヒートポンプ
７０    室内機
７１    リモートコントローラ
７２    床暖房パネル
７３    バルブ
７４    バルブ
８１    雨水収集管
１００  通路
１０１  通路
２００  散水機構
３００  冷暖房システム
３３０  配管
ＮＺ    ノズル
Ｗ      水
【図１】
2013001662.tif 000003
【図２】
2013001662.tif 000004
【図３】
2013001662.tif 000005
【図４】
2013001662.tif 000006
【図５】
2013001662.tif 000007
【図６】
2013001662.tif 000008
【図７】
2013001662.tif 000009
【図８】
2013001662.tif 000010
【国際調査報告】
2013001662.tif 000011
2013001662.tif 000012
2013001662.tif 000013
2013001662.tif 000014